(57)【特許請求の範囲】
【請求項１】
上端に縮径した口部(11)を起立設した等径筒形状の容器本体(1) と、該容器本体(1) 内に、軸心方向に沿って密摺動可能に嵌装した底蓋(2)と、前記口部(11)に組付く組付き筒(33)の内側にガイド筒(31)を、外側に係合筒(34)をそれぞれフランジ部を介して連設した取付けキャップ(3) と、該取付けキャップ(3) に上端を固定して前記ガイド筒(31)の下方に配設され、下端が逆止弁(61)を介して前記容器本体(1) 内に連通しているシリンダ(6) と、頂壁下面に、前記ガイド筒(31)に摺接する内筒(42)と、前記係合筒(34)に抜け出し不能に係合する外筒(44)とを垂下設して、前記取付けキャップ(3) に昇降可能に組付くノズルヘッド(4) と、上端を前記内筒(42)に固定して前記シリンダ(6) 内に位置し、周壁に複数の液孔(71)を開設した有底筒形状のピストンガイド(7) と、前記シリンダ(6) 内からピストンガイド(7) 内への内容液の流路を開閉すべく、前記シリンダ(6) に対して密摺動可能に、かつ前記ピストンガイド(7) に対して接離可能に配設されたリング状の軟質弾性材製ピストン(8) と、前記ノズルヘッド(4) を取付けキャップ(3) に対して、前記内筒(42)およびガイド筒(31)よりも外側の箇所で、上方に付勢する復帰ばね(5) と、から成り、前記ガイド筒(31)と、前記シリンダ(6)内でピストン(8)とピストンガイド(7)を昇降させる軸体としての機能を果たす前記内筒(42)とにより、前記取付けキャップ(3)に対するノズルヘッド(4)の昇降動をガイドするガイド機能部分を構成し、前記ピストンガイド(7) と一緒に昇降するピストン(8) を、該ピストンガイド(7) に対して、下降時に離反して流路を開き、上昇時に密接して流路を閉じる構成とした注出容器。
【請求項２】
ノズルヘッド(4) の頂壁の下面に、取付けキャップ(3) の組付き筒(33)に外嵌摺接する中間筒(43)を垂下設した請求項１記載の注出容器。
【請求項３】
復帰ばね(5) を、容器本体(1) の口部(11)の内側に位置した取付けキャップ(3) のガイド筒(31)に外装するコイルばねで構成した請求項１または２記載の注出容器。
【請求項４】
容器本体(1) の口部(11)内に位置するシリンダ(6) を、該シリンダ(6) の下部を前記容器本体(1) の胴部内に突出させて配設した請求項１または２または３記載の注出容器。
【発明の詳細な説明】
【０００１】
【発明の属する技術分野】
本発明は、高粘度の内容液を収納した容器内に外気を吸い込むことなく、内容液を注出する注出容器に関するものである。
【０００２】
【従来の技術】
嫌気性の化粧液とか歯磨き液等の高粘度内容液を収納して、ポンプ機能を有するノズルヘッドに対する押圧操作により、内容液を注出し、この注出した内容液の体積分だけ、容器本体内の内容液収納容積を減少させて、外気を吸い込むことなく、内容液の注出に伴う減圧の発生を防止して、良好な内容液注出動作を維持する注出容器が知られている。
【０００３】
この注出容器の代表的な構成例は、上端にポンプ機能付きのノズルヘッドを、中央に位置したポンプ機能部分を作動させるため昇降可能に組付けた等径筒形状の容器本体内に、軸心方向に沿って密摺動可能に底蓋を嵌装組付けして構成し、底蓋の上位の容器本体内に内容液を収納する。
【０００４】
上記構成において、ノズルヘッドを押下げ操作して内容液を注出し、ノズルヘッドの復帰ばねによる復帰動作により略定量の内容液が容器本体内からノズルヘッド内に吸い上げられると、この内容液の吸い上げにより容器本体内に発生した減圧により、底蓋が上昇変位し、ノズルヘッドに吸い上げられた内容液の体積分だけ、容器本体内の内容液収納容積を減少させ、もって発生した減圧を消滅させて、以後の内容液の注出動作が円滑に達成できるようにする。
【０００５】
この従来の注出容器は、容器の外観形状を一定に保持したまま、外気を吸い込むことなく内容液の注出を達成することができるので、容器の好ましい外観体裁を保ったまま、内容液の品質を劣化させることなく、一定した良好な使用状態を維持できると云う利点がある。
【０００６】
【発明が解決しようとする課題】
しかしながら、上記した従来技術にあっては、容器本体に対するノズルヘッドの昇降動のガイドは、ノズルヘッドの最も外側に位置する筒体部と、容器本体に組付け固定された部分に設けた筒体部との摺接嵌装によって達成しているので、中央のポンプ機能部分に対して復帰ばねとガイド機能部分とが順に外側に位置する構造となり、このためノズルヘッドを押し下げる内容液の注出操作時に、ノズルヘッドが傾く等してガイド機能部分に引っ掛かりが生じると、中央のポンプ機能部分が横方向の変位を許容しないものとなっているので、復帰ばねのばね力がこの引っ掛かりを強める方向に作用し、これによりノズルヘッドの押し下げの操作性が悪いと共に、ガタ付きが発生し易い、と云う問題があった。
【０００７】
また、このように復帰ばねのばね力が、ガイド機能部分の引っ掛かりを強める方向に作用するので、その分、不規則に強い操作力を要することになり、この強い操作力が引っ掛かりにより不均一にポンプ機能部分のピストンに作用して、ピストンのシール機能を劣化させたり、場合によっては部分的にシール機能を喪失させ、ポンプ機能を低下させる、と云う問題があった。
【０００８】
そこで、本発明は、上記した従来技術における問題点を解消すべく創案されたもので、容器本体の上端に昇降可能に組付けたノズルヘッドの、操作時における引っ掛かりの強大化を無くすることを技術的課題とし、もって操作性を向上させると共に、内容液の注出が良好に達成されるようにすることを目的とする。
【０００９】
【課題を解決するための手段】
上記技術的課題を解決する本発明の内、請求項１記載の発明の手段は、上端に縮径した口部を起立設した、等径筒形状の容器本体を有すること、この容器本体内に、軸心方向に沿って密摺動可能に嵌装した底蓋を有すること、容器本体の口部に組付く組付き筒の内側にガイド筒を、外側に係合筒をそれぞれフランジ部を介して連設した取付けキャップを有すること、この取付けキャップに上端を固定して、取付けキャップのガイド筒の下方に配設され、下端が逆止弁を介して容器本体内に連通しているシリンダを有すること、頂壁下面に、取付けキャップのガイド筒に摺接する内筒と、取付けキャップの係合筒に抜け出し不能に係合する外筒とを垂下設して、取付けキャップに昇降可能に組付くノズルヘッドを有すること、上端をノズルヘッドの内筒に固定してシリンダ内に位置し、周壁に複数の液孔を開設した有底筒形状のピストンガイドを有すること、ガイド筒と、シリンダ内でピストンとピストンガイドを昇降させる軸体としての機能を果たす内筒とにより、取付けキャップに対するノズルヘッド昇降動をガイドするガイド機能部分を構成すること、シリンダ内からピストンガイド内への内容液の流路を開閉すべく、シリンダに対して密摺動可能に、かつピストンガイドに対して接離可能に配設されたリング状の軟質弾性材製ピストンを有すること、ノズルヘッドを取付けキャップに対して、ノズルヘッドの内筒および取付けキャップのガイド筒よりも外側の箇所で、上方に付勢する復帰ばねを有すること、ピストンガイドと一緒に昇降するピストンを、ピストンガイドに対して、下降時に離反して流路を開き、上昇時に密接して流路を閉じる構成としたこと、にある。
【００１０】
取付けキャップのガイド筒と、このガイド筒に摺接するノズルヘッドの内筒とにより、取付けキャップに対するノズルヘッドの昇降動をガイドするガイド機能部分を構成し、このガイド機能部分よりも外側の箇所に復帰ばねのばね力、すなわちノズルヘッドの押し下げに抗する力が作用するので、ノズルヘッドの押し下げにより、ノズルヘッドが傾く等して、ガイド機能部分に引っ掛かりが生じたとしても、復帰ばねのばね力がこの引っ掛かりを助長させることはなく、軽微な引っ掛かりのまま消滅する。
【００１１】
このように、ノズルヘッドが傾く等してガイド機能部分に引っ掛かりが生じたとしても、ノズルヘッドに対する押し下げをそのまま継続することにより、この押し下げにより自然と引っ掛かりが消滅するので、ノズルヘッドを円滑に下降変位させることができる。
【００１２】
また、ポンプ機能部分のピストンに、ノズルヘッドの傾きによる横方向への不均一な力が強く作用することがないので、軟質弾性材製のピストンが不正に変形してシール機能を劣化させたり、損傷により部分的にシール機能を喪失すると云うことがない。
【００１３】
請求項２記載の発明は、請求項１記載の発明の構成に、ノズルヘッドの頂壁の下面に、取付けキャップの組付き筒に外嵌摺接する中間筒を垂下設した、ことを加えたものである。
【００１４】
請求項２記載の発明にあっては、ガイド筒と内筒との組合せと、この組合せの外側に位置する組付き筒と中間筒との組合せとによりガイド機能部分を構成したので、取付けキャップに対するノズルヘッドの傾き程度を構造的に小さく規制することができ、ノズルヘッドの下降変位はより円滑で安定したものとなる。
【００１５】
請求項３記載の発明は、請求項１記載の発明の構成に、復帰ばねを、容器本体の口部の内側に位置した取付けキャップのガイド筒に外装するコイルばねで構成した、ことを加えたものである。
【００１６】
請求項３記載の発明にあっては、復帰ばねを、容器本体の口部の内側に位置したガイド筒に外装するコイルばねで構成したので、復帰ばねを構成するコイルばねは、少なくとも容器本体の口部内に挿入できる小さい径寸法のものとなり、これにより径寸法が小さい分、復帰ばねとして使用するコイルばねを安価にすることができると共に、その取扱いが容易となる。
【００１７】
請求項４記載の発明は、請求項１記載の発明の構成に、容器本体の口部内に位置するシリンダを、このシリンダの下部を容器本体の胴部内に突出させて配設した、ことを加えたものである。
【００１８】
請求項４記載の発明にあっては、シリンダの下部を容器本体の胴部内に突出させたので、ポンプ機能部分の大半を容器本体内に位置させることができ、これにより、ノズルヘッドを含めた注出機能部分の容器本体上に位置する部分の高さ寸法が小さくなり、注出容器全体を、その高さ寸法を小さく抑えて、コンパクトに構成することができる。
【００１９】
【発明の実施の形態】
以下、本発明の一実施例を、図面を参照しながら説明する。
注出容器は、上端に取付けキャップ３を介してポンプ機能付きのノズルヘッド４を組付けた、等径筒形状の硬質合成樹脂製容器本体１内に、その軸心方向に沿って密摺動可能に底蓋２を嵌装組付けして構成し、この底蓋２の上位の容器本体１内に内容物を収納する。
【００２０】
取付けキャップ３は、内側から順に、ガイド筒３１と短筒３２と組付き筒３３と係合筒３４とをそれぞれフランジ部を介して連設して構成され、内周面に螺条を有する組付き筒３３が、容器本体１の上端に縮径して立設された口部１１に螺合組付けされる。
【００２１】
ノズルヘッド４は、前端に注出ノズル４１を設けた頂壁の下面に、内筒４２と中間筒４３と外筒４４とを垂下設して構成され、内筒４２が取付けキャップ３のガイド筒３１に嵌入摺接すると共に、中間筒４３が組付き筒３３に外嵌摺接し、かつ外筒４４が係合筒３４に抜け出し不能に外嵌係合して、取付けキャップ３に昇降可能に組付き、また頂壁と、取付けキャップ３のガイド筒３１と短筒３２とを連設するフランジ部との間に配設された復帰ばね５としてのコイルばねにより上方に付勢されている。
【００２２】
シリンダ６は、その上端部を取付けキャップ３に固定されてガイド筒３１の下方に位置すると共に、その下部は容器本体１の胴部内に配設され、かつ下端部は逆止弁６１を介して容器本体１内に連通している。
【００２３】
上端部がノズルヘッド４の内筒４２の内周に固定された有底円筒状のピストンガイド７は、その周壁に複数の液孔７１が開設されていると共に、この液孔７１の下方に環状凸部が周設されており、環状凸部の上面にピストン受溝７２が周設され、また環状凸部の外周に複数の液溝７３が形成されている。
【００２４】
ピストン８は、弾性材により断面略Ｈ形のリング状に形成されており、ピストンガイド７とシリンダ６との間に、軸心方向に摺動可能に配設されている。
【００２５】
すなわち、このピストン８の外周面はシリンダ６の内周面に摺接すると共に、内周側の上部筒片８１の上端部外周面は、ノズルヘッド４の内筒４２の下端部に肉薄に形成されたガイド筒片４５の内周面に摺接し、また下部筒片８２の下端部は、図１に示すノズルヘッド４の上昇限位置において、ピストン受溝７２に係合してシリンダ６内の加圧室９とノズルヘッド４内とを遮断している。
【００２６】
この加圧室９は、シリンダ６内の逆止弁６１とピストンガイド７の下端部とピストン８とにより閉じられ、内容物で満たされた空間である。
【００２７】
図１の状態から、ノズルヘッド４を押下げ操作すると、ノズルヘッド４と一体に下降するピストンガイド７の下面で加圧室９内の内容物が加圧されるため、その液圧によりピストン８が相対的に押上げられて、図２に示すようにピストン受溝７２から離脱し、その結果、内容物は液溝７３および液孔７１等を通ってノズルヘッド４内へ圧送され、注出ノズル４１から注出される。
【００２８】
ノズルヘッド４を下降限まで押下げて、加圧室９内の一定量の内容物を注出した後、ノズルヘッド４を解放すると、復帰ばね５の作用力によりノズルヘッド４とピストンガイド７とが一体で上昇するため、ピストンガイド７のピストン受溝７２にピストン８の下部筒片８２が再び係合し、加圧室９内とノズルヘッド４内とを遮断する。
【００２９】
この状態でノズルヘッド４とピストンガイド７とピストン８とが一体で上昇すると、加圧室９内が負圧になるため、逆止弁６１が開いて容器本体１内の内容物が加圧室９に吸い上げられる。
【００３０】
そして、この内容物の吸い上げにより容器本体１内に発生した減圧により、底蓋２が上昇変位し、加圧室９に吸い上げられた内容物の体積分だけ、容器本体１内の内容物収納容積を減少させ、もって発生した減圧を消滅させ、以後の内容物の注出動作が円滑に達成できるようにする。
【００３１】
【発明の効果】
本発明は、上記した構成となっているので、以下に示す効果を奏する。
取付けキャップのガイド筒とノズルヘッドの内筒との組合せで構成される、ノズルヘッドの昇降動のガイド機能部分が、復帰ばねの内側に位置しているので、ノズルヘッドの下降時に、例えノズルヘッドの傾きにより引っ掛かりが生じたとしても、ノズルヘッドの押し下げの継続により、この引っ掛かりを自然に消滅させることができ、もって円滑で安定したノズルヘッドの押し下げ動作、すなわち内容液の注出動作を得ることができる。
【００３２】
ノズルヘッドの傾きにより、ガイド機能部分に引っ掛かりが生じても、復帰ばねのばね力がこの引っ掛かりを消滅させる方向に作用するので、引っ掛かりによる横方向の不正な力がポンプ機能部分のピストンに作用することがなく、もってピストンの高いシール機能が安定して保持され、ポンプ機能を長期間にわたって安全に維持することができる。
【００３３】
請求項２記載の発明によれば、ノズルヘッド押し下げ時に発生する傾きを、構造的に小さく抑えることができるので、ノズルヘッドの傾きにより発生するガイド機能部分の引っ掛かりを軽微なものとすることができ、もってより円滑で良好な内容液の注出動作を得ることができる。
【００３４】
請求項３記載の発明によれば、復帰ばねを構成するコイルばねが、容器本体の口部内に挿入できる径寸法の小さいものとなり、もって復帰ばねを安価に得ることができると共に、その取扱いが容易となる。
【００３５】
請求項４記載の発明によれば、ノズルヘッドを含めた注出機能部分の容器本体上に位置する部分の高さ寸法を小さくすることができるので、容器の径寸法を変えることなく、その高さ寸法を小さくしてコンパクト化を好適に達成することができ、注出容器の商品としての外観体裁を好ましいものとすることができる。
【図面の簡単な説明】
【図１】本発明の一実施例を示す、全体半縦断面図。
【図２】図１に示した実施例の、ノズルヘッド押し下げ時の状態を示す要部拡大半縦断面図。
【符号の説明】
１  ；  容器本体
１１；  口部
２  ；  底蓋
３  ；  取付けキャップ
３１；  ガイド筒
３２；  短筒
３３；  組付き筒
３４；  係合筒
４  ；  ノズルヘッド
４１；  注出ノズル
４２；  内筒
４３；  中間筒
４４；  外筒
４５；  ガイド筒片
５  ；  復帰ばね
６  ；  シリンダ
６１；  逆止弁
７  ；  ピストンガイド
７１；  液孔
７２；  ピストン受溝
７３；  液溝
８  ；  ピストン
８１；  上部筒片
８２；  下部筒片
９  ；  加圧室
【図１】
0003796601.tif 000002
【図２】
0003796601.tif 000003